(57)【要約】【課題】厚紙の剥がれや傷がなく、かつ容易にハンドリングができる紙張り軽量気泡コンクリートパネルの段積み方法を提供する。【解決手段】一方の面のみにボール紙またはクラフト紙等の厚紙を貼着した紙張り軽量気泡コンクリートパネルを段積みする方法であって、前記紙張り軽量気泡コンクリートパネル一面の厚紙と隣接した前記紙張り軽量気泡コンクリートパネルの間に、スペーサを介在させる。【選択図】　　図４
2004036174.tif 000002
【特許請求の範囲】
【請求項１】
一方の面のみにボール紙またはクラフト紙等の厚紙を貼着した紙張り軽量気泡コンクリートパネルを段積みする方法であって、前記紙張り軽量気泡コンクリートパネル一面の厚紙と隣接した前記紙張り軽量気泡コンクリートパネルのパネル面との間に、スペーサを介在させることを特徴とする紙張り軽量気泡コンクリートパネルの段積み方法。
【請求項２】
前記スペーサを、前記紙張り軽量気泡コンクリートパネルの厚紙に剥離可能に接着したことを特徴とする請求項１記載の紙張り軽量気泡コンクリートパネルの段積み方法。
【請求項３】
前記スペーサを、前記厚紙側の紙張り軽量気泡コンクリートパネルに固定具で取り外し可能に固定したことを特徴とする請求項１または２記載の紙張り軽量気泡コンクリートパネルの段積み方法。
【請求項４】
前記スペーサの端部を、前記厚紙側の紙張り軽量気泡コンクリートパネルの小口面に取り外し可能に固定したことを特徴とする請求項１〜３のいずれかに記載の紙張り軽量気泡コンクリートパネルの段積み方法。
【請求項５】
前記スペーサは、厚さが０．２ｍｍ以上の厚紙、金属板、樹脂板のいずれかであることを特徴とする請求項１〜４のいずれかに記載の紙張り軽量気泡コンクリートパネルの段積み方法。
【請求項６】
前記スペーサ表面に、紙張り軽量気泡コンクリートパネルのパネル面に対する低摩擦部を設けたことを特徴とする請求項１〜５のいずれかに記載の紙張り軽量気泡コンクリートパネルの段積み方法。
【発明の詳細な説明】
【０００１】
【発明の属する技術分野】
本発明は、表面に厚紙を張った紙張り軽量気泡コンクリートパネルの段積み方法に関するものである。
【０００２】
【従来の技術】
軽量気泡コンクリートパネル（以下、ＡＬＣパネルという）は、従来から外壁や間仕切りとして広く用いられており、建て込み後において外壁の室内側や間仕切りの両表面に直接、紙、繊維類、プラスチック類、および鉱物類を主な構成材料としてシート状に成形した壁紙やクロスなどの壁装材による内装仕上げを施こされている。
【０００３】
この場合、前記ＡＬＣパネル表面にザラツキや凹凸段差があると、前記ザラツキや凹凸段差の窪みの陰影による表面不陸が発生していた。そこで、前記ザラツキや凹凸段差などを解消するために、前記ＡＬＣパネル表面上にボール紙やクラフト紙等の厚紙を予め工場で張り付けた紙張り軽量気泡コンクリートパネル（以下、紙張りパネルという）が開発されている。この紙張りパネルは、前記厚紙の張り付け後の表面平滑性に優れている。その結果、前記紙張りパネル表面に直接前記壁装材による内装仕上げを施しても、表面不陸が発生することがない。
【０００４】
前記紙張りパネルは、前記ＡＬＣパネルの一方の面にのみ前記厚紙を張り付けたものと、前記ＡＬＣパネルの両面に前記厚紙を張り付けたものがある。そして、前記厚紙の張り付け面の違いにより、建物の使用部位を変えている。例えば、外壁やエレベーターシャフト壁等には、室内側に当たる一方の面にのみ厚紙を張り付けた紙張りパネルが用いられる。また、前記ＡＬＣパネルの両面を居室などに利用する間仕切り壁等には、前記ＡＬＣパネルの両面に前記厚紙を張り付けた紙張りパネルが使用される。
【０００５】
また前記紙張りパネルは、工場で前記ＡＬＣパネルの表面に厚紙を張り付け、そしてトラックに積み込まれたのち、建築現場まで輸送される。この時、前記紙張りパネルの段積みにおいては、トラックへの積込みや建築現場での荷下ろしなどのハンドリングの容易性や輸送中の安定性などが考慮される。一般的には、前記紙張りパネルは、５〜６枚段積みした状態を１単位として、積込みや荷下ろしなどの各種のハンドリングが行われる。この時、前記一方の面にのみ前記厚紙を張り付けた紙張りパネルの段積み状態において、最上部の前記紙張りパネルの上面及び最下部の紙張りパネルの下面を除いては、全て前記厚紙面とＡＬＣパネル表面とが直接当接した状態となっている。
【０００６】
すなわち、図１に示すようにＡＬＣパネル１の一方の面に紙張りした紙張りパネル１０は、前記したように通常５〜６枚を１単位として段積みされた状態で、建築現場に搬入され仮置きされる。そして、前記紙張りパネル１０の建て込みを行う際には、最上段にある紙張りパネル１０ａから一枚ずつ仕分け、建て込み場所まで手で持ち運ばれる。この時、通常二人で紙張りパネル１０のハンドリングを行っている。
【０００７】
先ず、二人が前記紙張りパネル１０の両短辺小口面２０位置にそれぞれ分かれる。そして、図１に示すように最上部にある紙張りパネル１０ａをその幅方向（図中の矢印、Ｈ方向）に数十ｃｍ程度ずらす。次に、図２に示すように前記紙張りパネル１０ａの上方から手で押さえ、紙張りパネル１０ａの一方の長辺小口面４０ａを下方に傾ける。この時、前記紙張りパネル１０ａの直下にある紙張りパネル１０ｂの一方の面取り部３０が支点となる。そのことで、紙張りパネル１０ａの裏面側に両手を差し入れられる空間４１ができる。そして、前記空間４１に両手を差し入れ、把持し、持ち上げ、所望の場所まで運搬する。
【０００８】
【発明が解決しようとする課題】
前記した紙張りパネル１０のハンドリングの際に、以下の問題が発生する。すなわち、前記したようなハンドリングを行えば、図３に示すように直下にある紙張りパネル１０ｂの厚紙５０の表面において、紙張りパネル１０の裏面側（ＡＬＣパネル面）との摩擦により傷５２が発生したり、また端辺５１の剥がれが発生するなどの問題点が生ずる。
【０００９】
その結果、前記紙張りネル１０の建て込み後において、前記した表面不陸を防止するために、端辺５１の剥がれ部や厚紙５０の表面上の傷５２の修復をしなければならない。このことにより、多大な手間や費用が必要となり、施工効率が非常に悪くなるという問題があった。
そこで、本発明の目的は、紙張り軽量気泡コンクリートパネルの種々のハンドリングにおいて、厚紙の端辺からの剥がれや厚紙表面上の傷の発生のない紙張り軽量気泡コンクリートパネルの段積み方法を提供することにある。
【００１０】
【課題を解決するための手段】
本発明による紙張り軽量気泡コンクリートパネルの段積み方法は、一方の面のみにボール紙またはクラフト紙等の厚紙を貼着した紙張り軽量気泡コンクリートパネルを段積みする方法であって、前記紙張り軽量気泡コンクリートパネル一面の厚紙と隣接した前記紙張り軽量気泡コンクリートパネルのパネル面との間に、スペーサを介在させるものである。
【００１１】
また、前記段積み方法において、前記スペーサを前記紙張り軽量気泡コンクリートパネルの厚紙に剥離可能に接着することもできる。このスペーサの接着に、アクリルゴム系の接着剤を用いると、接着および剥離が容易で、且つ前記厚紙や前記スペーサを傷つけることもなく好ましい。
【００１２】
また、前記段積み方法において、前記スペーサを前記厚紙側の紙張り軽量気泡コンクリートパネルに固定具で取り外し可能に固定することもできる。このスペーサの固定に際しては、前記スペーサ上から釘やステープルなどで前記紙張り軽量気泡コンクリートパネルに固定することができる。また、前記釘やステープルなどでの固定箇所は、前記紙張り軽量気泡コンクリートパネルのハンドリング時に、動かないよう複数箇所の方が好ましい。
【００１３】
また、前記段積み方法において、前記スペーサの端部を前記厚紙側の紙張り軽量気泡コンクリートパネルの小口面に取り外し可能に固定することができる。前記スペーサは、前記紙張り軽量気泡コンクリートパネルの幅方向に渡って載置するとよい。この場合、前記スペーサの固定は前記紙張り軽量気泡コンクリートパネルの長手方向の両小口面に固定するとよい。固定に際しては、前記同様に釘やステープルなどで前記紙張り軽量気泡コンクリートパネルに取り外し可能に固定することができる。
【００１４】
また、前記スペーサには、厚さが０．２ｍｍ以上の厚紙、金属板、樹脂板のいずれかを用いるとよい。厚紙としては、ボール紙またはクラフト紙などが好適に用いられる。また、金属板としては、鉄、亜鉛、アルミニウムなどが用いられる。また、樹脂板としては、塩化ビニル、ポリプロピレン、ポリエチレン、アクリル、ポリカーボネイト、ポリビニール、ポリスチレンなどのシート状樹脂などが好適に用いられる。
【００１５】
さらに、前記スペーサ表面には、紙張り軽量気泡コンクリートパネルのパネル面に対する低摩擦部を設けるとよい。前記低摩擦部を設けるに当たっては、前記スペーサの表面にシリコンやポリエチレン又はこれらを混合した水溶液をハケやスプレーなどを用いて塗布すると、前記ＡＬＣパネル表面が滑りやすくなるため好適である。また、前記低摩擦部は、スペーサの両面に設けることもできるが、前記スペーサの上面（ＡＬＣパネル表面に当接する面）のみであれば、前記水溶液を塗布しやすく、また経済性も向上するため好ましい。前記方法のほか、前記スペーサの上面にシリコンやポリエチレン樹脂のシートを貼着してもよい。
【００１６】
【発明の実施の形態】
以下、本発明の実施の形態を図を参照して説明する。
（第１の実施の形態）
図４（ａ）は、第１の実施の形態の斜視図を示す。また、図４（ｂ）は、第１の実施の形態の側面図を示す。まず、ＡＬＣパネル１の表面に厚紙５０を張り付けた紙張りパネル１０を床面に水平に静置する。そして、前記紙張りパネル１０の上面に、ボール紙製の細幅のスペーサ６０を前記紙張りパネル１０の長さ方向Ｎに対して、１０００ｍｍ間隔で載置する。次に、前記スペーサ６０の上に前記紙張りパネル１０を載置する。以降、同様の方法で前記スペーサ６０と前記紙張りパネル１０を交互に重ね、段積みを行う。この方法を用いることにより、前記紙張りパネル１０の厚紙面と前記紙張りパネル１０の裏面（ＡＬＣパネル面）とが直接、当接することがないため、ハンドリングを行っても傷などの不具合が発生することがない。
【００１７】
また、前記スペーサの寸法は、その長さＡにおいて、前記紙張り軽量気泡コンクリートパネルの幅Ｗの±２００ｍｍで、またその幅Ｂは２０〜２００ｍｍにすると、ハンドリング時に不具合の発生もなく好ましい。また、前記スペーサ６０の前記紙張りパネル１０上への載置間隔は、その長さ方向Ｎに対して、３００〜１５００ｍｍピッチにすると好ましい。さらに、前記載置間隔が４００〜１０００ｍｍであると、より効果が発揮でき好適である。
【００１８】
また、前記スペーサ６０を前記紙張りパネル１０の上面に載置する際に、前記スペーサ６０の裏面にアクリルゴム系の接着剤を塗布し、そして前記紙張りパネル１０の厚紙面に貼着する。以降、前記同様に前記スペーサ６０と前記紙張りパネル１０を交互に重ね、段積みを行う。前記アクリルゴム系の接着剤を用いることで、容易に接着が可能となる。さらに、前記紙張りパネル１０のハンドリング後に、容易に前記スペーサ６０を剥離して取り除くことができる。その結果、前記厚紙を傷めることもなく、また作業性も向上する。
【００１９】
また、前記スペーサ６０が前記紙張りパネル１０の厚紙面に貼着されているため、前記紙張りパネル１０を水平方向にずらしても、前記スペーサ６０が前記紙張りパネル１０と同時に動くことがない。従って、前記スペーサ６０と厚紙との摩擦を生じることがないため、そのことによる摩耗や裂傷がなくなる。
【００２０】
（第２および第３の実施の形態）
図５および図６は、第２および第３の実施の形態の斜視図を示す。前記同様にＡＬＣパネル１の表面に厚紙５０を張り付けた紙張りパネル１０を床面に水平に静置する。そして、前記紙張りパネル１０の上面に、ボール紙製のスペーサ６０を前記同様１０００ｍｍ間隔で載置する。その後、前記スペーサ６０の上面からステープル８０を用いて固定する（図５）。次いで、前記紙張りパネル１０を載置し、前記第１の実施の形態と同様に前記スペーサ６０と前記紙張りパネル１０を交互に重ね、段積みを行う。
【００２１】
また、前記ステープルでの固定の際に、前記紙張りパネル１０の両長辺小口面４０ａ，４０ｂに、前記スペーサ６０の上面からステープル８０を用いて固定することもできる（図６）。以降、前記同様に前記スペーサ６０と前記紙張りパネル１０を交互に重ね、段積みを行う。
【００２２】
また、前記スペーサ６０の長さＡの寸法は、以下の式の長さにすると、前記ステープル８０での固定作業の軽減ができ好適である。
長さＡ＝Ｗ＋（２×Ｔ）
Ｗ：紙張りパネル１０の幅寸法（ｍｍ）
Ｔ：紙張りパネル１０の厚さ寸法（ｍｍ）
図６のように、前記スペーサ６０を前記紙張りパネル１０の両長辺小口面でステープルで固定する方法であれば、前記紙張りパネル１０の厚紙に傷つけることもなく好適である。また、前記紙張りパネル１０の段積み終了後において、両長辺小口面より容易にステープルで固定でき、より効率的である。
【００２３】
（第４の実施の形態）
図７（ａ）は、第４の実施の形態の側面図を示す。前記第１および第２の実施の形態と同様に、ＡＬＣパネル１の表面に厚紙５０を張り付けた紙張りパネル１０を床面に水平に静置する。そして、前記紙張りパネル１０の上面に、低摩擦部を設けたスペーサ６１を、前記同様に１０００ｍｍ間隔で載置する。次に、前記スペーサ６１の上に前記紙張りパネル１０を載置する。以降、同様の方法で前記スペーサ６１と前記紙張りパネル１０を交互に重ね、段積みを行う。
【００２４】
前記スペーサ６１は、図７（ｂ）に示すように前記ボール紙製のスペーサ６０の上面から水溶性のシリコンをハケで塗布して、その表面に低摩擦部を設けたものである。前記方法のほか、ＡＬＣパネル面に対して低摩擦となるような無色透明な溶液を塗布してもよく、またその溶液に浸漬することにより、前記スペーサ６０の表面から前記水溶性のシリコンなどが浸透し、前記スペーサ６０の外周に低摩擦部を設けることができる。
【００２５】
【発明の効果】
以上、上述したように本発明は、紙張りパネルの段積みや荷下ろしなどのハンドリングの際に、前記紙張りパネルの厚紙の端辺からの剥がれや厚紙表面上への傷が発生することがないため、容易に紙張りパネルのハンドリングが行える。
【図面の簡単な説明】
【図１】段積み状態の最上段の紙張り軽量気泡コンクリートパネルを水平にずらした状態を示す側面図。
【図２】段積み状態の最上段の紙張り軽量気泡コンクリートパネルを傾けた状態を示す側面図。
【図３】紙張り軽量気泡コンクリートパネルの厚紙の剥がれや傷の発生を示す斜視図。
【図４】（ａ）本発明の第１の実施の形態を示す斜視図。
（ｂ）本発明の第１の実施の形態を示す側面図。
【図５】本発明の第２の実施の形態を示す斜視図。
【図６】本発明の第３の実施の形態を示す斜視図。
【図７】（ａ）本発明の第４の実施の形態を示す側面図。
（ｂ）本発明の第４の実施の形態に用いるスペーサの断面図。
【符号の説明】
１　ＡＬＣパネル
１０，１０ａ，１０ｂ　紙張りパネル
２０　紙張りパネルの短辺小口面
３０　面取り部
４０ａ、４０ｂ　長辺小口面
４１　空間
５０　厚紙
５１　端辺
５２　厚紙面の傷
６０，６１　スペーサ
７０　低摩擦部
８０　ステープル（固定具）
Ｗ　　紙張りパネルの幅
Ｔ　　紙張りパネルの厚さ
Ａ　　スペーサの長さ
Ｂ　　スペーサの幅
Ｈ　　紙張りパネルの幅方向
Ｎ　　紙張りパネルの長さ方向
【図１】
2004036174.tif 000003
【図２】
2004036174.tif 000004
【図３】
2004036174.tif 000005
【図４】
2004036174.tif 000006
【図５】
2004036174.tif 000007
【図６】
2004036174.tif 000008
【図７】
2004036174.tif 000009